(57)【要約】      （修正有）【課題】堅牢で耐荷重性の有る腕金装柱装置を提供する。【解決手段】上、下部片１ａ，１ｂと該上、下の各部片１ａ，１ｂ間に介在して各部片１ａ，１ｂと長手方向に沿って相対する断面コ字形の中央部片１ｃとを備えた、一対の挟持枠１，１を、腕金２を介在させて挟持ボルト３，３´とこれに螺合するナット４，４´によって互いに締め付ける。そして、円弧状の基端縁１ａ´，１ｂ´を電柱Ｄ面に当接した各挟持枠１，１の前記上、下の部片１ａ，１ｂと前記中央部片１ｃ間のそれぞれにバンド片５のなす環状の基部片５ａを介在させてこれらを軸ボルト６とこれに螺合したナットによって互いに接続する。また、バンド片５は前記電柱Ｄを巻回して先端側を締付けボルト８とこれに螺合したナット９によって互いに締め付ける。【選択図】  図１
2005006411.tif 000002
【特許請求の範囲】
【請求項１】
上、下部片と該上、下の各部片間に介在して各部片と長手方向に沿って相対する断面コ字形の枠部片とを備えた、一対の挟持枠を、腕金を介在させて挟持ボルトとこれに螺合するナットによって互いに締め付けると共に、円弧上の基端縁を電柱の円周面に沿わせて当接した各挟持枠の前記上、下の各部片と前記枠部片の間にバンド片のなす環状の基部片をそれぞれ係合して、これらに貫通させた軸ボルトとこれに螺合したナットによって互いに接続し、前記各バンド片は前記電柱を巻回して先端側を締付けボルトとこれに螺合したナットによって互いに接続して前記電柱に締め付けた、腕金装柱装置。
【発明の詳細な説明】
【０００１】
【産業上の利用分野】
本発明は、機器を装柱するために用いる腕金の装柱装置に関するものである。
【０００２】
【従来の技術】
断面コの字形の、一対の挟持枠を腕金を介在させて挟持ボルトとこれに螺合したナットによって互いに締付けると共に、各挟持枠の直縁状の基端縁を電柱面に当接させた、上下の部片と該部片間に介在させたバンド片のなす環状の基部片を、これらに貫通させた軸ボルトとこれに螺合したナットによって互いに接続し、バンド片の先端側は電柱を巻回して締付けボルトとこれに螺合したナットによって互いに接続した構造のものがある（例えば、特許文献１）。
【０００３】
【特許文献１】
特開２００２−２１８６３６号公報
【０００４】
【発明が解決しようとする課題】
前記従来例は、複数枚のバンド片で成る単一なバンド体によって腕金を装柱する構成を採るため、腕金に負荷した荷重によって当初の装柱状態を維持できないおそれがあり、使用目的によってはバンド片の板厚を厚くするとか、幅を広くするなどして鋼材（板）で構成した当該バンド体の剛性力を増加させる必要があるが、電柱に締付ける関係からその増加にも限界がある。要するに、従来例は単一なバンド体で腕金を装柱するようにしているため、使用目的によっては安定的な装柱状態を必ずしも得られない。
【０００５】
本発明は、前記従来例の欠点を解消し、堅牢で耐荷重性の有る腕金装柱装置を提供すべく創案したものである。
【０００６】
【課題を解決するための手段】
上、下部片と該上、下の各部片間に介在して各部片と長手方向に沿って相対する断面コ字形の中央部片とを備えた挟持枠を、中央の断面コ字状部の上下両端に断面Ｌ字状部を連続させるようにして形成し、一対の該挟持枠を腕金を介在させて挟持ボルトとこれに螺合するナットによって互いに締め付けると共に、円弧状の基端縁を電柱面に当接した各挟持枠の前記上、下の部片と前記中央部片およびこれらの部片の間に介在させたバンド片のなす環状の基部片を、これらに貫通させた軸ボルトとこれに螺合したナットによって互いに接続し、前記バンド片は前記電柱を巻回して先端側を締付けボルトとこれに螺合したナットによって接続して前記電柱面に締め付けた構成としたものである。
【０００７】
【発明の実施の形態】
図面は本発明に係る腕金装柱装置の実施形態を示し、図１は一部欠截平面図、図２は正面図、図３は縦断面図、図４は各部の配置関係を示す正面図、図５は第二実施形態の一部欠截平面図である。
【０００８】
実施形態の腕金装柱装置は、上下部片１ａ，１ｂと該上下の各部片１ａ，１ｂ間に介在して各部片１ａ，１ｂと長手方向に沿って相対するコ字形の枠部片１ｃとを備えた、一対の挟持枠１，１を腕金２を介在させて挟持ボルト３とこれに螺合するナット４によって互いに締付けると共に、円弧状の基端縁１ａ´，１ｂ´を支柱Ｄの円周面に沿わせて当接した各挟持枠１の、前記上、下部片１ａ，１ｂと前記枠部片１ｃおよび、該上、下の部片１ａ，１ｂと枠部片１ｃのそれぞれの間に係合させた各バンド片５のなす環状の基部片５ａを、これらに貫通させた軸ボルト６とこれに螺合したナット７によって互いに接続し、前記バンド片５，５は電柱Ｄを巻回した先端側を締付けボルト８とこれに螺合したナット９によって接続して支柱Ｄ面に締め付けたものである。
【０００９】
挟持枠１は、中央部片１ｄに前記上、下部片１ａ，１ｂを相対設した構成材１Ａの前記中央部片１ｄの基端部に偏して前記枠部片１ｃを熔接して構成したもので、挟持枠１の水平方向に配した前記上、下の部片１ａ，１ｂおよび前記枠部片１ｃの、前記上部片１ａに長手方向に沿って相対する上部分１ｃ´と下部分１ｃ´´のそれぞれに前記軸ボルト６を貫通するための透孔１１，１１，１１，１１を設け、上部片１ａと枠部片１ｃの上部分１ｃ´の間および下部片１ｂと枠部片１ｃの下部分１ｃ´´の間のそれぞれに係合したバンド片５のなす環状の前記基部片５ａと、前記各透孔１１，１１，１１，１１に軸ボルト６を貫通させ、下部片１ｂの透孔１１より突出する（上部片１ａ側から突出させるようにしても良い）軸ボルト６の先端にナット７を螺合して各挟持枠１それぞれに上下一対のバンド片５，５を回動可能に枢着し、バンド片５の先端側は電柱支柱Ｄ面に巻回し、その先端の緊締受部片５ｂ，５ｂ間に前記締付けボルト８をわたし、これに前記ナット９を螺合締付ける一方、挟持枠１，１間には、前記上、下部片１ａ，１ｂ間の中央にして前記中央部片１ｄに並設した突子１０，１０を腕金２に設けた透孔１２，１２に係合するようにして腕金２を介在させて、該挟持杆１，１間にわたし、腕金２を介して上下に位置する各一対の挟持ボルト３，３とこれに螺合したナット４に前記腕金２を組付け、支持させたものである。
【００１０】
なお、腕金２に設けた透孔１２に突子１０を係合して当該腕金２を一対の挟持枠１，１で挟持させたのは、該係合関係が互いの位置決めになると共に、位置ずれ防止となって堅牢な腕金装柱状態を得ることができるようにするためである。
【００１１】
また、実施形態の緊締受部片５ｂ，５ｂは締付けボルト８とナット９で締付けたとき、該緊締受部片５ｂの、緊締受部分５ｂ´に相対設した側部５ｂ´´，５ｂ´´が支柱Ｄ面に圧接してボルト８とナット９の締付け荷重を分散でき、従って、腕金２を支柱Ｄに強固に締付けることができるのである。
【００１２】
この締付け力の増強は、挟持枠１の上下部片１，２の、支柱Ｄ面に圧接する（バンド片５や前記ボルト８とナット９により）前記基端縁１ａ´，１ｂ´の、支柱Ｄ面に沿う円弧形もその一助となるものであって、第一実施形態は上下部片１，２の基端部に挟持枠１，１同士の相対する方向に突出する突出部１ａ´´，１ｂ´´を設けて前記基端縁１ａ´，１ｂ´の円弧縁を長くして、より強固な締付け荷重を受けられるようにしてある。
【００１３】
図示１８は、挟持ボルト３を利用して取付けた碍子である。
【００１４】
【発明の効果】
本発明は、前記の通り、腕金を支持した挟持金具を、いわば２本のバンド体で電柱に締付けるものであるから、耐荷重性の有る装柱装置を得ることができ、また、各バンド体は、なす環状の基部片において挟持金具の上部片と中央部片間および下部片と中央部片間に係合して軸ボルトによって挟持金具に接続した構成を採るものであるから、互いに干渉することなく定位置を保持して互いに間隔をおいて電柱に巻き付けられ、従って、安定した腕金の装柱状態を得られる。
【図面の簡単な説明】
【図１】一部欠截平面図。
【図２】正面図。
【図３】縦断面図。
【図４】各部の配置関係を示す正面図。
【図５】第二実施形態の一部欠截平面図
【符号の説明】
１      挟持枠
１ａ    上部片
１ｂ    下部片
１ｃ    枠部片
２      腕金
３      挟持ボルト
４      ナット
５      バンド片
５ａ    基部片
６      軸ボルト
７      ナット
８      締付けボルト
９      ナット
【図１】
2005006411.tif 000003
【図２】
2005006411.tif 000004
【図３】
2005006411.tif 000005
【図４】
2005006411.tif 000006
【図５】
2005006411.tif 000007